(57)【要約】【課題】  周辺環境に配慮した上で空気中の有害物質を浄化する。【解決手段】  空気中の二酸化窒素ＮＯ２を分解する浄化ユニット３と、前記浄化ユニット３の分解反応によって生成した硝酸ＨＮＯ３を吸着する吸着ユニット３とを備え、前記吸着ユニット３を、前記浄化ユニット３の下方に配した。【選択図】    図２
2006175404.tif 000002
【特許請求の範囲】
【請求項１】
空気中の有害物質を分解する浄化部と、
前記浄化部の分解反応によって生成した生成物を吸着する吸着部とを備えた
空気浄化装置。
【請求項２】
前記吸着部を、前記浄化部の下方に配した
請求項１に記載の空気浄化装置。
【請求項３】
前記浄化部の側方に通気部を備えた
請求項１または２に記載の空気浄化装置。
【請求項４】
分解反応用の水分を供給する保水部を備えた
請求項１、２または３に記載の空気浄化装置。
【請求項５】
前記保水部を、植生部とした
請求項１から４のうちいずれか１つに記載の空気浄化装置。
【請求項６】
前記植生部を、前記浄化部の上方に備えた
請求項１から５のうちいずれか１つに記載の空気浄化装置。
【請求項７】
前記浄化部を、
樹木を炭化処理した炭チップと、前記樹木を粉砕した生チップとを混合して形成した
請求項１から６のうちいずれか１つに記載の空気浄化装置。
【請求項８】
前記樹木を杉とした
請求項１から７のうちいずれか１つに記載の空気浄化装置。
【請求項９】
前記吸着部を、再生炭で形成した
請求項１から８のうちいずれか１つに記載の空気浄化装置。
【発明の詳細な説明】
【技術分野】
【０００１】
この発明は、例えば空気中の有害物質を分解し、分解によって生成した生成物を吸着するような空気浄化装置に関する。
【背景技術】
【０００２】
自動車がなくてはならない現代社会においては、自動車の排気ガスに含まれる有害物質による環境破壊が進行していることから、自家用車の使用の自粛や、物流の低公害輸送への移行に取り組みが行われている。また、今まで利用されてきた浄化装置について、さらなる浄化効果の向上についての研究が進められている。
【０００３】
このような状況において、取込口と排出口とを有する通気空間内にファンとフィルタを設け、ファンの回転によって有害物質を含む空気を取込口から通気空間内に取込み、フィルタを通過することで空気中の有害物質を除去する空気浄化装置が提案されている（特許文献１参照）。
【０００４】
しかし、上記空気浄化装置は、フィルタで空気中の有害物質を除去するため、フィルタ目詰まりによって浄化効果が低減する。このため、定期的なフィルタの交換が必要であり、使用開始時点からしばらくは十分な浄化効果を得ることはできるが、フィルタの使用期間が長くなった場合、浄化効果の低減を防ぐことはできなかった。
【０００５】
また、上記空気浄化装置の設置箇所周辺の汚染状況によって、フィルタの交換時期が異なるため、フィルタの交換時期の一元管理が困難であった。したがって様々な場所に上記空気浄化装置を複数設置した場合、全ての装置を最適な状態で使用することは難しかった。
【０００６】
また、有害物質を除去したフィルタは有害物質が付着しているため、交換して取出したフィルタを処分する際に、付着した有害物質が漏出して２次汚染を生じる惧れがある。このため、有害物質の漏出を防止する措置に費用がかかった。
【０００７】
また、ファンの回転によって空気を空気浄化装置内に流入出させるため、ファンの回転音による新たな騒音問題が発生するとともに、浄化装置の稼動のための電気費用がかかり、安易に設置することはできなかった。
【０００８】
【特許文献１】特開２００２−１７３９２０号公報
【発明の開示】
【発明が解決しようとする課題】
【０００９】
この発明は、周辺環境に配慮した上で空気中の有害物質を浄化することを目的とする。
【課題を解決するための手段】
【００１０】
この発明は、空気中の有害物質を分解する浄化部と、前記浄化部の分解反応によって生成した生成物を吸着する吸着部とを備えた空気浄化装置であることを特徴とする。
【００１１】
前記空気中の有害物質は、車両の排気ガスに含まれる窒素酸化物（ＮＯｘ）また二酸化炭素（ＣＯ２）等であることを含む。  
前記分解は、化学反応による分解であることを含む。  
前記生成物は、有害または無害な生成物等であり、固体状、液体状または気体状の生成物であることを含む。
【００１２】
上記構成により、空気中の有害物質を浄化でき、浄化の際に有害物質を分解することで生成する生成物を吸着できる。  
これにより、空気中の有害物質の浄化による２次汚染を防止できる。  
また、周辺空気の汚染状況が、浄化部の許容分解反応量によって決まる上限値以上に汚染されている場合であっても、許容分解反応量以上の反応はしないため、長期間の浄化効果を得ることができる。  
したがって、浄化部を長期間使用できるため、浄化部の交換の回数を低減でき、ランニングコストを削減できる。
【００１３】
また、浄化部の分解反応によって有害物質の浄化を行うため、使用後の浄化部の処分も容易である。
【００１４】
また、浄化部の許容分解反応量以上の反応はしないため、浄化部の交換時期の一元管理が容易である。したがって、様々な場所に空気浄化装置を複数設置した場合であっても、容易に、全ての装置を最適な状態で稼動させることができる。
【００１５】
この発明の態様として、前記吸着部を、前記浄化部の下方に配することができる。  
これにより、生成物が液体状である場合も、浄化部から漏出される生成物を吸着することができ、空気浄化装置の外部への生成物の漏出を防止できる。したがって、空気中の有害物質の浄化による２次汚染を防止できる。
【００１６】
また、この発明の態様として前記浄化部の側方に通気部を備えることができる。  
前記通気部は、空気浄化装置の本体に一体形成した開口部等で構成していることを含む。  
前記浄化部の側方は、浄化部の側部上方、側部中央または側部下方を含み、側方の一方向、複数方向または全周方向を含む。
【００１７】
上記構成により、浄化部を通過する空気通過空間を形成できる。  
これにより、浄化部の浄化効果の効率を向上させることができる。  
また、浄化部の上方を様々な態様で利用することができる。
【００１８】
また、この発明の態様として分解反応用の水分を供給する保水部を備えることができる。  
前記保水部は、土壌、スポンジ、不織布等の保水性を有する部材で形成されたことを含む。  
上記構成によって、空気中に含まれた有害物質の浄化のための分解反応に必要な水（Ｈ２Ｏ）を確実に供給することができる。  
これにより、乾燥した地域や時期であっても、十分な浄化効果を得ることができる。
【００１９】
また、この発明の態様として前記保水部を、植生部とすることができる。  
前記植生部は、草花の鉢植えや芝等の植物を育成する部分で形成することを含む。  
これにより、空気の有害物質の浄化とともに、植物の光合成によって二酸化炭素（ＣＯ２）を吸収でき、また酸素（Ｏ２）を放出することができる。
【００２０】
また、草花や芝のために供給された水（Ｈ２Ｏ）を、草花や芝の基盤となる土壌部分で保水できるため、有害物質の分解のために必要な水（Ｈ２Ｏ）を確実に供給することができ、乾燥した地域や時期であっても、十分な浄化効果を得ることができる。
【００２１】
また、この発明の態様として前記植生部を、前記浄化部の上方に備えることができる。  
これにより、草花や芝のために供給された水（Ｈ２Ｏ）の余剰分を、下方の浄化部に供給できるため、乾燥した地域や時期であっても、十分な浄化効果を得ることができる。
【００２２】
また、この発明の態様として前記浄化部を、樹木を炭化処理した炭チップと、前記樹木を粉砕した生チップとを混合して形成することができる。  
前記樹木は、例えば間伐材（杉や桧等）や、樹木廃材等の廃材、枯死樹木、庭木、剪定材、街路樹、竹等の単一または複合した樹木であることを含む。  
前記炭チップは、上記樹木を炭化処理した炭を粉砕、砕破、または細断してなる単一または複合した炭チップ等であることを含む。  
前記生チップは、上記樹木を粉砕、砕破、または細断してなる単一または複合した木チップ等であることを含む。
【００２３】
これにより、周辺空気に生チップの許容分解反応量以上の有害物質が含まれる場合には、炭チップの吸着作用によって、余剰分の有害物質を吸着することができる。そして、周辺空気の有害物質が生チップの許容分解反応量以下となった場合に、炭チップは一時的に吸着した有害物質を放出して、生チップに有害物質を供給することができる。  
したがって、生チップの分解能力を有効に活用することができ、空気浄化装置の浄化効果を向上させることができる。  
また、産業廃棄物として処理（焼却）されていた樹木廃材や、間伐材（杉や桧等）、枯死樹木、庭木、剪定材、街路樹、竹等を利用することができるため、これらを処分する場合と比べて、二酸化炭素の発生を抑制することができ、環境汚染の抑制に貢献するとともに、生産コストを低減することができる。
【００２４】
また、この発明の態様として前記樹木を杉にすることができる。  
これにより、杉の繊維質に含まれるリグニンが短期的に二酸化窒素（ＮＯ２）を吸収し、セルロースが触媒となり水（Ｈ２Ｏ）と反応することで二酸化窒素（ＮＯ２）を分解反応することができる。  
したがって、空気浄化効果を向上させることができる。
【００２５】
また、この発明の態様として、前記吸着部を、再生炭で形成することができる。  
前記再生炭は、産業廃棄物として処理（焼却）されていた樹木廃材や、間伐材（杉や桧等）、枯死樹木、庭木、剪定材、街路樹、竹等を炭化処理した炭であることを含む。
【００２６】
樹木廃材を炭化処理することにより、樹木廃材を焼却処分する場合と比べて環境破壊原因である二酸化炭素（ＣＯ２）の削減することができ、また、新しい資源の消費を削減することができる。したがって森林資源の有効活用と環境汚染物質の発生を低減することができる。  
また、樹木廃材を用いない炭を用いる場合と比較して、再生炭を用いることでコストを低減することができるとともに、使用後の再生炭は土壌改良剤として利用できるため処分が容易となる。
【発明の効果】
【００２７】
この発明によれば、周辺環境に配慮した上で空気中の有害物質を浄化することができる。
【発明を実施するための最良の形態】
【００２８】
この発明の一実施形態を以下図面と共に説明する。  
空気浄化装置１の斜視図を示す図１、空気浄化装置１の中央付近の側方断面図を示す図２とともに空気浄化装置１について説明する。
【００２９】
空気浄化装置１は、略直方体の本体枠２と、本体枠２内部に浄化空間２ａとプランタ空間２ｂとを形成する仕切り部材５とで構成し、浄化空間２ａに浄化ユニット３を装備するとともに、プランタ空間２ｂにプランタ６を載置している。
【００３０】
本体枠２は、平面視内部に２つのプランタ６を並列載置できる適宜の平面視長方形（例えば６７ｃｍ×４４ｃｍ）で、適宜の高さ（例えば７０ｃｍ）に形成している。
【００３１】
詳述すると、本体枠２は底部に平面視長方形の底板１０を備え、底板１０の底面に底板１０の短辺より長く、適宜の厚み（例えば５ｃｍ程度）を有する略半円断面の渡し部材１１を、底板１０の長辺方向（図１中左右方向）に平行に備え、底板１０が直接地面に接触しないように構成している。
【００３２】
また、底板１０の上面隅角部のそれぞれに、略正方形断面と適宜の鉛直方向の長さを有する固定角材９を固定している。  
また、図１に示すように、Ｄ型断面の長辺横板８ａを、凸部分が外側にとなるようにして手前と奥側に対向させるとともに、縦長長方形断面の短辺横板８ｂを左右に対向させて、長辺横板８ａと短辺横板８ｂとを長方形に組み合わせた長方形枠８を形成している。長方形枠８は、所定の間隔を開けて上下方向に複数配して、長方形枠８の隅角部内面を固定角材９に固定している。
【００３３】
なお、上記所定間隔は、本体枠２内部への周辺空気の流入出を妨げない程度の間隔（例えば５ｃｍ）であり、前記間隔にて、本体枠２内部に有害物質を含んだ周辺空気ａが流入出するための通気部１２を形成している。
【００３４】
また、縦長長方形断面の角材を平面視長方形の枠状に組み立てて掛止枠１３を形成し、掛止枠１３を、掛止枠１３の上面が固定角材９の上方から１／３程度の高さになる位置に、それぞれの固定角材９の内側側面に固定している。
【００３５】
また、仕切り部材５は本体枠２の平面内形よりひと回り小さな板状部材で形成し、上下を貫通する複数の貫通孔５ａを有している。なお、仕切り部材５は、ＡＣＱ防腐剤を注入して防腐加工を施している。  
また、仕切り部材５は、仕切り部材５の裏面側周縁部が上記掛止枠１３に当接するように載置する。この仕切り部材５により、本体枠２内部を上下に仕切り、仕切り部材５下方の本体枠２内部に浄化空間２ａと、仕切り部材５上方にプランタ空間２ｂとを形成している。
【００３６】
なお、浄化空間２ａには、平面視が本体枠２の平面視内形よりひと回り小さく、本体枠２の高さの７割程度の高さの略直方体に形成した浄化ユニット３を装備している。  
また、プランタ空間２ｂには、２つの平面視細長の平面開放のボックス状でプラスチック製のプランタ６を図２中の左右方向に並列載置している。
【００３７】
なお、プランタ６は、本体枠２の長辺よりひと回り短い平面視細長のプラスチック製であり、プランタ６内部に入れた土壌６ａは流出しないが、土壌６ａに植生する植物６ｂに与えた水Ｈ２Ｏの余剰分の通過を許容する水抜きを底板に有する。  
なお、仕切り部材５、長辺横板８ａ、短辺横板８ｂ、固定角材９、底板１０ならびに渡し部材１１等は杉の間伐材を加工して形成している。
【００３８】
続いて、浄化ユニット３の左斜視図を示す図３、浄化ユニット３の中央部付近の正面断面図を示す図４とともに浄化ユニット３について説明する。なお、図３は、梱包バッグ２１の内部を容易に理解するため、梱包バッグ２１の手前角部の一部を透過して示している。
【００３９】
浄化ユニット３は、平面視が本体枠２（図１）の平面視内形よりひと回り小さく、本体枠２の高さの７割程度の高さの略直方体（例えば６０ｃｍ×３５ｃｍ×５０ｃｍ）の梱包バッグ２１に、木チップ４ｃ、分離シート４ｂならびに再生炭４ａを充填して形成している。  
梱包バッグ２１は、離れて見ると目視できない０．０１ｍｍ程度の通気孔を複数有するポリエステル（ＰＥＴ）製の３ｍｍ厚程度のシートで形成している。  
また、上面２３（２３ａ、２３ｂ）の短手方向中央に、長手方向のファスナ２２を備え、ファスナ２２を開閉することで、ファスナ２２を挟む上面２３ａと上面２３ｂとを両開き状に開閉することができる構成である。
【００４０】
また、梱包バッグ２１の側面２４（２４ａ、２４ｂ）には、適宜の幅（例えば５ｃｍ程度）を有する帯状のバンド２５ａ、２５ｂを備えている。  
詳述すると、バンド２５ａは、側面２４ａの幅方向中央、梱包バッグ２１の底面ならびに、側面２４ａに対向する側面の幅方向中央とを通り、梱包バッグ２１に固定している。なお、バンド２５ａの両端を上面２３から１０ｃｍ程度突出させて握持部２６を形成している。
【００４１】
また、バンド２５ｂは、バンド２５ａと同様に、側面２４ｂの幅方向中央、梱包バッグ２１の底面ならびに、側面２４ｂに対向する側面の幅方向中央とを通り、梱包バッグ２１に固定している。なお、バンド２５ｂの両端を上面２３から１０ｃｍ程度突出させて握持部２６を形成している。
【００４２】
また、梱包バッグ２１内部は、下方部分に再生炭４ａを、上面が略均等になるように１５ｃｍ程度の高さで充填し、再生炭４ａの上面に梱包バッグ２１の平面視内形と略同一形状の分離シート４ｂを敷設している。さらに分離シート４ｂの上方に、梱包バッグ２１の内部上面まで（３５ｃｍ程度）木チップ４ｃを充填している。  
なお、分離シート４ｂは、ポリエステル（ＰＥＴ）製の通気性を有する０．１ｍｍ厚のシートである。
【００４３】
次に、杉チップ３１の平面図を示す図５、炭チップ３２の平面図を示す図６、木チップ４ｃの平面図を示す図７、再生炭４ａの平面図を示す図８とともに、杉チップ３１、炭チップ３２、木チップ４ｃならびに再生炭４ａについて説明する。
【００４４】
杉チップ３１は、杉の間伐材を、粉砕、砕破または細断して１０ｍｍ〜２５ｍｍ程度のチップ状に形成している。  
なお、杉チップ３１は、杉の主成分でもあるリグニンが二酸化窒素ＮＯ２を吸収し、また杉に含まれるセルロースが触媒となり、数式１に示すように水Ｈ２Ｏと反応して、硝酸ＨＮＯ３、または亜硝酸ＨＮＯ２（以下「硝酸ＨＮＯ３等」という）へ還元することができる。
【００４５】
【数１】
2006175404.tif 000003
また、杉に含まれるポリフェノールによって、二酸化窒素ＮＯ２は数式２に示すように一酸化窒素（ＮＯ）に還元される。
【００４６】
【数２】
2006175404.tif 000004
また、炭チップ３２は、後述する再生炭４ａを、粉砕、砕破、細断して５ｍｍ〜１５ｍｍ程度のチップ状に形成している。  
なお、炭チップ３２はＶＯＣ（揮発性有機物）等の有害物質を吸着及び放出する浄化材として用いる。  
木チップ４ｃは、杉チップ３１と炭チップ３２は質量比１対１で混合して構成している。
【００４７】
ここで、木チップ４ｃの浄化効果確認試験の試験結果について説明する。  
浄化効果確認試験は、梱包バッグ２１と同一素材の袋（１０×１０×２ｃｍ）に入れた４０ｇの木チップ４ｃと、４Ｌの清浄空気とを５Ｌの密閉性の高い袋に入れＮＯ２ガスを注入した供試体１と、４Ｌの清浄空気を５Ｌの密閉性の高い袋に入れＮＯ２ガスを注入した供試体２を準備し、それぞれのバッグ内の二酸化窒素ＮＯ２のガス濃度を測定した。
【００４８】
なお、表１に示す測定値は、３回行った試験結果の平均値であり、また全ての試験は２０℃−６５％ＲＨの恒温恒湿室内で行っている。  
また、表内のＮＤは、測定結果が検出下限値の０．０２ｐｐｍ以下であったことを示す。
【００４９】
【表１】
2006175404.tif 000005
上記浄化効果確認試験により、木チップ４ｃの浄化効果を確認することができた。  
なお、木チップ４ｃは分解反応による長期の浄化効果を有するため、浄化ユニット３を例えば２年間に１回に交換すればよい。
【００５０】
続いて、再生炭４ａについて説明する。再生炭４ａは、例えば間伐材（杉や桧等）や、建築廃材等の廃材、枯死樹木、庭木、剪定材、街路樹、竹等の単一または複合した樹木を炭化釜で製造した炭を、粉砕、砕破、細断してなる３０ｍｍ〜５０ｍｍ程度の形状に形成している。
【００５１】
なお、再生炭４ａは、通常の炭と変わりない長期間の燃料、浄化作用、土壌改良作用を有するため、吸着ユニット３を例えば２年に一回交換すればよい。  
また、再生炭４ａは取出した後、土壌改良材として利用することができる。
【００５２】
上記構成により、図２に示すように二酸化窒素ＮＯ２を含む空気ａが、空気ａの自然の流れによって、一方の通気部１２（図２中右側）を通過して浄化空間２ａに流入する。  
流入した二酸化窒素ＮＯ２を含む空気ａは、通気性を有する梱包バッグ２１を通過して浄化ユニット３内部に流入し、二酸化窒素ＮＯ２は杉チップ３１によって分解することができる。
【００５３】
なお、杉チップ３１の許容分解反応量以上の余剰な二酸化窒素ＮＯ２は炭チップ３２によって吸着される。  
浄化ユニット３によって、二酸化窒素ＮＯ２を浄化された空気ａは、流入した通気部１２と反対側（図２中右側）の通気部１２から流出する。
【００５４】
なお、杉チップ３１の分解反応によって二酸化窒素ＮＯ２は、液状体の硝酸ＨＮＯ３等に分解され、分離シート４ｂを通過して再生炭４ａに吸着することができる。
【００５５】
また、二酸化窒素ＮＯ２の流入量が低減し、杉チップ３１の許容分解反応量以下となった際に、炭チップ３２は吸着している二酸化窒素ＮＯ２を放出して杉チップ３１に供給することができる。これにより、炭チップ３２に一時的に吸着していた二酸化窒素ＮＯ２を杉チップ３１で分解することができる。
【００５６】
また、浄化ユニット３による浄化作用と同時に、植物６ｂの光合成によって、空気ａに含まれる二酸化炭素ＣＯ２を吸収し、酸素Ｏ２を放出することができる。  
さらに、プランタ６に供給された水Ｈ２Ｏを植物６ｂに保水することができ、浄化空間２ａが乾燥した場合に貫通孔５ａを通過して、浄化ユニット３に供給することができる。
【００５７】
また、ファスナ２２を開けることで、梱包バッグ２１の上面２３（２３ａ、２３ｂ）を両開き状に開放することができ、木チップ４ｃの入れ替えをすることができるとともに、握持部２６を握持して浄化ユニット３を運搬することができる。
【００５８】
また、分離シート４ｂを再生炭４ａと木チップ４ｃとの間に敷設したことによって、再生炭４ａと木チップ４ｃが梱包バッグ２１内部で混在することを防止できる。また、分離シート４ｂが通気性を有するため、木チップ４ｃの分解反応によって生成された生成物が再生炭４ａに流下することを許容する。
【００５９】
また、底板１０の下側に渡し部材１１を備えたことにより、渡し部材１１の下方の通気性が向上し、底板１０が湿気によって腐食することを防止できる。  
これにより、例えば、空気浄化装置１を道路の中央分離帯や、歩道部に設置して、二酸化窒素ＮＯ２を含む空気を浄化することができる。なお、本実施例のこの空気浄化装置１台で年間およそ２０ｋｇの二酸化窒素ＮＯ２を除去することができる。
【００６０】
また、木チップ４ｃによる分解反応によって生成された液状体である硝酸ＨＮＯ３等は、分離シート４ｂを通過しての再生炭４ａで吸着することができ、空気浄化装置１の外部への硝酸ＨＮＯ３等の漏出を防止できる。したがって、空気中の二酸化窒素ＮＯ２の浄化による２次汚染を防止できる。
【００６１】
また、空気浄化装置１は、周辺空気自体の流れによって空気浄化装置１内部に流入出しているため、空気浄化装置１を稼動させるための費用や、たとえばファンの回転音による新たな騒音公害も発生せずとも、効率の良い浄化効果を得ることができる。
【００６２】
また、浄化ユニット３の分解反応によって空気ａ中の二酸化炭素ＣＯ２の浄化を行うため、使用後の木チップ４ｃ、分離シート４ｂ等の浄化ユニット３の処分も容易になる。  
また、プランタ６を浄化ユニット３の上方に配したことにより、木チップ４ｃの分解反応に必要な水Ｈ２Ｏが、周辺環境の乾燥によって不足した場合であっても、植物６ｂに与えられた水Ｈ２Ｏの余剰分がプランタ６の底板の水抜き孔と貫通孔５ａを通過して浄化ユニット３に供給されるため、十分な浄化効果を得ることができる。
【００６３】
また、周辺空気ａに杉チップ３１の許容分解反応量以上の二酸化窒素ＮＯ２が含まれる場合には、炭チップ３２が余剰な二酸化炭素ＣＯ２を吸着し、周辺空気ａの二酸化炭素ＣＯ２が許容分解反応量以下となった場合に、炭チップ３２は一時的に吸着した二酸化炭素ＣＯ２を放出して、杉チップ３１に二酸化窒素ＮＯ２を供給することができるため、杉チップ３１の分解能力を有効に活用することができる。
【００６４】
したがって、浄化ユニット３を長期間使用できるため、例えば２年に一回というように浄化ユニット３の交換の回数を低減でき、ランニングコストを削減できるともに、浄化ユニット３の浄化効果が周辺空気の汚染状況によって変動しないため、浄化ユニット３の交換時期の一元管理が容易である。したがって、様々な場所に空気浄化装置１を複数設置した場合であっても、容易に、全ての空気浄化装置１を最適な状態で稼動させることができる。
【００６５】
また、本体枠２を構成している仕切り部材５や長方形枠８等を杉の間伐材を加工しているため、今まで放置されていた間伐材の有効利用が図れるとともに、本体枠２の製作コストを低減することができる。
【００６６】
また、樹木廃材を再生炭３２にすることにより、環境破壊起因である二酸化炭素ＣＯ２の削減、新しい資源の使用の削減につながり、森林資源の有効活用と環境汚染物質の低減することができる。
【００６７】
なお、杉チップ３１および炭チップ３２のチップ形状を変更し、杉チップ３１および炭チップ３２の表面積が調整することによって、木チップ４ｃの浄化作用を調整することができる。  
詳述すると、例えば二酸化窒素ＮＯ２を多く含み汚染状況が悪い場所に空気浄化装置１を設置する際には、杉チップ３１及び炭チップ３２を細かいチップ形状に形成し、杉チップ３１および炭チップ３２の表面積を増加させて、浄化効果を向上させることができる。
【００６８】
また、図９に示すよう本体枠２を平面視略正方形に形成し、プランタ６を例えば３つ並列載置してもよい。このように本体枠２の形状を変更することによって、空気浄化装置１を設置場所に合わせた形状とすることができ、設置者等の満足度を向上することができる。
【００６９】
また、設置者のネームや空気浄化装置１の効果を記載したプレート４０を本体枠２の側面上方に備えてもよい。  
これにより、プレート４０を見た人が、空気浄化装置１の効果を確認することができるとともに、環境ついて考えることを促すことができる。
【００７０】
また、設置者が環境問題に取り組んでいる企業である場合は、プレート４０によって消費者に企業イメージを向上させることができる。  
また、プランタ６を例えば３ヶ月ごとに交換することによって、常にきれいな状態で植物６ｂを観賞することができ、利用者の満足度を向上することができる。
【００７１】
また、略正方形断面の長辺横板８ａと、同一断面の短辺横板８ｂとを、底板１０上に平行に２本ずつ、それぞれ９０ずつ度回転させて固定して、本体枠２を井形形状に形成してもよい。  
これにより、平面視長方形の本体枠２の長辺部分の通気部１２と、短辺部分の通気部１２とをそれぞれ段違いに備えることができる。
【００７２】
この発明の構成と、上述の実施形態との対応において、
この発明の浄化部は、浄化ユニット３に対応し、
以下同様に、
有害物質は、二酸化窒素ＮＯ２に対応し、
生成物は、ＨＮＯ３に対応し、
吸着部は、再生炭４ａに対応し、
通気部は、通気部１２に対応し、
保水部は、土壌６ａに対応し、
植生部は、プランタ６に対応し、
生チップは、杉チップ３１に対応するも、
この発明は、上述の実施形態の構成のみに限定されるものではなく、多くの実施の形態を得ることができる。
【図面の簡単な説明】
【００７３】
【図１】空気浄化装置の斜視図。
【図２】空気浄化装置の中央付近の側方断面図。
【図３】浄化ユニットの斜視図。
【図４】浄化ユニットの中央部付近の正面断面図。
【図５】杉チップの平面図。
【図６】炭チップの平面図。
【図７】木チップの平面図。
【図８】再生炭の平面図。
【図９】他の実施形態の空気浄化装置の斜視図。
【符号の説明】
【００７４】
１…空気浄化装置
３…浄化ユニット
４ａ…再生炭
６…プランタ
６ａ…土壌
１２…通気部
３１…杉チップ
３２…炭チップ
ＮＯ２…二酸化窒素
ＨＮＯ３…硝酸
ａ…空気
【図１】
2006175404.tif 000006
【図２】
2006175404.tif 000007
【図３】
2006175404.tif 000008
【図４】
2006175404.tif 000009
【図５】
2006175404.tif 000010
【図６】
2006175404.tif 000011
【図７】
2006175404.tif 000012
【図８】
2006175404.tif 000013
【図９】
2006175404.tif 000014